(57)【要約】【課題】安定的に電線押さえ機能を発揮できるコネクタを提供する。【解決手段】後面側から電線Ｗが引き出される雌ハウジング３１と、雌ハウジング３１と嵌合可能な雄ハウジング１１と、雌ハウジング３１に設けられ、電線Ｗと対向するとともに電線Ｗに対して接離する方向に変位可能な押さえ片４２と、押さえ片４２に設けられ、雌ハウジング３１の外面３１ａよりも外側へ突出する突出部４４と、雄ハウジング１１に設けられ、両ハウジング１１，３１が嵌合されるのに伴って雌ハウジング３１の外面３１ａに沿って進出し、突出部４４を内側に押圧可能な押さえ部２２とを備える。【選択図】図８
2009080942.tif 000002
【特許請求の範囲】
【請求項１】
後面側から電線が引き出される一方のコネクタハウジングと、
前記一方のコネクタハウジングと嵌合可能な他方のコネクタハウジングと、
前記一方のコネクタハウジングに設けられ、前記電線と対向するとともに前記電線に対して接離する方向に変位可能な押さえ片と、
前記押さえ片に設けられ、前記一方のコネクタハウジングの外面よりも外側へ突出する突出部と、
前記他方のコネクタハウジングに設けられ、前記両コネクタハウジングが嵌合されるのに伴って前記一方のコネクタハウジングの外面に沿って進出し、前記突出部を内側に押圧可能な押さえ部とを備えるコネクタ。
【請求項２】
前記他方のコネクタハウジングには、前記一方のコネクタハウジングを内嵌可能な筒状部が設けられており、この筒状部に前記押さえ部が設けられている請求項１記載のコネクタ。
【請求項３】
前記押さえ部は、前記筒状部から前方へ部分的に延出する形態とされている請求項２記載のコネクタ。
【請求項４】
前記筒状部には、前方へ部分的に延出するとともに前記押さえ部に連結される補強部が設けられている請求項３記載のコネクタ。
【請求項５】
前記他方のコネクタハウジングには、タブを有する雄型の端子金具が取り付けられるとともに、前記タブが前記筒状部内に突出して配されており、
前記押さえ部は、互いに対向する位置に一対設けられている請求項３または請求項４記載のコネクタ。
【請求項６】
前記押さえ片は、前記一方のコネクタハウジングのうち前記電線と対向する壁にスリットを入れることで形成されている請求項１ないし請求項５のいずれか１項に記載のコネクタ。
【請求項７】
前記スリットが前記電線の引き出し方向に向けて開放する形態とされ、前記押さえ片が片持ち状に形成されている請求項６記載のコネクタ。
【請求項８】
前記押さえ片は、その後端位置が前記一方のコネクタハウジングの後端位置とほぼ面一となるよう形成されている請求項７記載のコネクタ。
【請求項９】
前記一方のコネクタハウジングには、前記電線に接続された端子金具が収容されており、
前記押さえ片は、その前端位置が前記端子金具の後端位置よりも前寄りになるよう形成されている請求項６ないし請求項８のいずれか１項に記載のコネクタ。
【請求項１０】
前記突出部は、前記押さえ片における前端位置に配置されている請求項１ないし請求項９のいずれか１項に記載のコネクタ。
【請求項１１】
前記突出部は、前記押さえ片における幅方向中央位置に配置されている請求項１ないし請求項１０のいずれか１項に記載のコネクタ。
【請求項１２】
前記突出部と前記押さえ部との少なくともいずれか一方には、前記押さえ部が前記突出部に当接したときに前記押さえ片を内側へ変位させるような分力を生じさせるガイド面が形成されている請求項１ないし請求項１１のいずれか１項に記載のコネクタ。
【発明の詳細な説明】
【技術分野】
【０００１】
本発明は、電線押さえ機能を備えたコネクタに関する。
【背景技術】
【０００２】
従来、電線の端末に接続した端子金具をコネクタハウジング内に収容した構成のコネクタにおいて、電線を押さえ付ける機能を備えたものの一例として下記特許文献１に記載されたものが知られている。このものは、図１４に示すように、コネクタハウジング１の下部の後端に電線支持部材２が延設されるとともに、コネクタハウジング１の上部の後端にヒンジ３を介して電線押さえ部材４が連結された構成であり、端子金具５を収容した状態で電線押さえ部材４を回動させると、電線６が電線支持部材２と電線押さえ部材４との間に挟まれることで、電線押さえ機能が発揮されるようになっている。
【特許文献１】特開平５−１３１２７号公報
【発明の開示】
【発明が解決しようとする課題】
【０００３】
ところで、上記特許文献１に記載されたものにおいて、電線押さえ部材４を閉止状態に維持するには、例えば、電線押さえ部材４及び電線支持部材２を外側からテープ巻きすることが考えられる。ところが、その場合、電線６に対して電線押さえ部材４から付与される押さえ力は、テープを巻き付ける力に比例するのに対し、作業者によって巻き付け力にばらつきが生じ易いため、電線６に付与される押さえ力が不安定になり勝ちであった。特に、巻き付け力が過大になった場合には、電線押さえ部材４や電線支持部材２のエッジが電線６に食い込んでストレスを与え、断線が生じるおそれがあった。
【０００４】
また、近年では、回路に流される電流が大きくなる傾向にあるため、太い電線が使用される傾向にある一方で、コネクタハウジング及び端子金具には小型化が求められている。太い電線に小型の端子金具を接続した状態では、電線に振動が加えられると重量の大きな電線の慣性によって重量の小さな端子金具が振られやすく、端子金具に振動が伝達され易くなっていた。そのような事情からも電線押さえ機能を安定的に発揮させることが切望されていた。
【０００５】
本発明は上記のような事情に基づいて完成されたものであって、安定的に電線押さえ機能を発揮できるコネクタを提供することを目的とする。
【課題を解決するための手段】
【０００６】
本発明は、後面側から電線が引き出される一方のコネクタハウジングと、前記一方のコネクタハウジングと嵌合可能な他方のコネクタハウジングと、前記一方のコネクタハウジングに設けられ、前記電線と対向するとともに前記電線に対して接離する方向に変位可能な押さえ片と、前記押さえ片に設けられ、前記一方のコネクタハウジングの外面よりも外側へ突出する突出部と、前記他方のコネクタハウジングに設けられ、前記両コネクタハウジングが嵌合されるのに伴って前記一方のコネクタハウジングの外面に沿って進出し、前記突出部を内側に押圧可能な押さえ部とを備える。
【０００７】
このようにすれば、両コネクタハウジングを嵌合すると、他方のコネクタハウジングに設けられた押さえ部が一方のコネクタハウジングの外面に沿って進出し、その押さえ部により一方のコネクタハウジングの外面から突出している突出部が内側に押圧される。すると、押さえ片が電線に接近するよう変位させられるとともに電線に対して圧接される。これにより、電線を押さえ付けることができ、外部から振動が加わった場合でもコネクタ内部に振動が影響するのを防ぐことができる。一方のコネクタハウジングの外面からの突出部の突出量によって押さえ片の変位量及び電線への押さえ力が確定するので、一定の押さえ力を安定的に電線に付与することができる。
【０００８】
本発明の実施態様として、次の構成が好ましい。
（１）前記他方のコネクタハウジングには、前記一方のコネクタハウジングを内嵌可能な筒状部が設けられており、この筒状部に前記押さえ部が設けられる構成とする。このようにすれば、仮に筒状部が一方のコネクタハウジングに設けられたものでは、押さえ部の形状が複雑化し勝ちとなるが、他方のコネクタハウジングに筒状部を設け、その筒状部に押さえ部を設けるようにしたから、押さえ部の形状を簡素化することができる。
【０００９】
（２）前記押さえ部は、前記筒状部から前方へ部分的に延出する形態とされる構成とする。このようにすれば、仮に筒状部の全体を延長して押さえ部を形成した場合と比べると、他方のコネクタハウジングを製造する際の材料費を低減できる。
【００１０】
（３）前記筒状部には、前方へ部分的に延出するとともに前記押さえ部に連結される補強部が設けられる構成とする。このようにすれば、補強部により押さえ部を補強することができるから、突出部を押さえ付けた状態で押さえ部が外側へ変形するのを防ぐことができる。これにより、電線に付与する押さえ力をより安定化することができる。
【００１１】
（４）前記他方のコネクタハウジングには、タブを有する雄型の端子金具が取り付けられるとともに、前記タブが前記筒状部内に突出して配されており、前記押さえ部は、互いに対向する位置に一対設けられる構成とする。このようにすれば、両コネクタハウジングを嵌合させようとしたとき、一方のコネクタハウジングが相対的に傾いた姿勢だった場合でも、互いに対向する両押さえ部によって一方のコネクタハウジングが傾いた姿勢のまま進入するのを規制することができ、もってタブへの干渉を防ぐことができる。
【００１２】
（５）前記押さえ片は、前記一方のコネクタハウジングのうち前記電線と対向する壁にスリットを入れることで形成される構成とする。このようにすれば、一方のコネクタハウジングの既存構造である電線と対向する壁の一部を利用して押さえ片を形成しているから、仮に一方のコネクタハウジングから押さえ片を延長して形成した場合と比較すると小型で済む。
【００１３】
（６）前記スリットが前記電線の引き出し方向に向けて開放する形態とされ、前記押さえ片が片持ち状に形成される構成とする。このようにすれば、一方のコネクタハウジングを成形金型を用いて製造するにあたり、スリット及び押さえ片を電線の引き出し方向に開く型によって成形することができ、同方向と直交する方向に開くスライド型が不要となる。
【００１４】
（７）前記押さえ片は、その後端位置が前記一方のコネクタハウジングの後端位置とほぼ面一となるよう形成される構成とする。このようにすれば、一方のコネクタハウジングにおける電線と対向する壁には、スリット間に開口が形成されることがない。仮に押さえ片の後端位置を一方のコネクタハウジングの後端位置よりも前寄りに設定すると、一方のコネクタハウジングにおける電線と対向する壁にスリットに繋がる開口が形成されるが、そのような開口が形成されることがないので、異物などの侵入を防ぐことができる。
【００１５】
（８）前記一方のコネクタハウジングには、前記電線に接続された端子金具が収容されており、前記押さえ片は、その前端位置が前記端子金具の後端位置よりも前寄りになるよう形成される構成とする。このようにすれば、仮に押さえ片の前端位置を端子金具の後端位置よりも後ろ寄りとした場合と比べると、一方のコネクタハウジングを短小化することができるとともに、電線のうち端子金具により近い部分を押さえ片によって押さえることができるので、端子金具への振動の伝達を有効に防ぐことができる。
【００１６】
（９）前記突出部は、前記押さえ片における前端位置に配置される構成とする。このようにすれば、突出部を押圧する押さえ部の長さ寸法を極力短くすることができる。
【００１７】
（１０）前記突出部は、前記押さえ片における幅方向中央位置に配置される構成とする。このようにすれば、押さえ片を電線に対して適切に圧接させることができる。
【００１８】
（１１）前記突出部と前記押さえ部との少なくともいずれか一方には、前記押さえ部が前記突出部に当接したときに前記押さえ片を内側へ変位させるような分力を生じさせるガイド面が形成される構成とする。このようにすれば、押さえ部によって突出部及び押さえ片を押さえ付ける動作をスムーズなものとすることができる。
【発明の効果】
【００１９】
本発明によれば、安定的に電線押さえ機能を発揮することができる。
【発明を実施するための最良の形態】
【００２０】
＜実施形態１＞
本発明の実施形態１を図１ないし図１０によって説明する。この実施形態１では、自動車のワイヤハーネスに用いられるものであって、互いに嵌合可能な一対の雄雌のコネクタ１０，３０からなるものを例示する。なお、以下では、両コネクタ１０，３０における嵌合面側を前方、その反対側（電線Ｗの引き出し方向）を後方とし、また上下方向については図１，図２及び図４などを基準とする。
【００２１】
先に雄コネクタ１０について説明する。雄コネクタ１０は、図１及び図４に示すように、雄コネクタハウジング１１（以下、単に雄ハウジング１１という）と、電線Ｗの端末に接続された雄端子金具１２とを備える。雄ハウジング１１内に雄端子金具１２を収容した状態では、雄ハウジング１１の後面から後方へ電線Ｗが引き出される。
【００２２】
雄端子金具１２は、図４に示すように、略箱型をなす本体部１３と、本体部１３から前方へ延出するタブ１４と、本体部１３から後方へ延出する電線接続部１５とからなる。本体部１３の下壁には、雄ハウジング１１のランス２０が係止可能な係止孔１３ａが設けられている。係止孔１３ａの両側縁からは、一対のスタビライザ１３ｂが下方へ突出して設けられている。タブ１４は、相手の雌端子金具３２側の弾性接触片に対して弾性接触可能とされる。電線接続部１５は、前後に一対ずつのかしめ片１５ａ，１５ｂを備え、前側の両かしめ片１５ａが電線Ｗの端部にて露出した芯線に、後側の両かしめ片１５ｂが電線Ｗの被覆に対してそれぞれかしめ付けられている。
【００２３】
雄ハウジング１１は、合成樹脂製とされ、図１及び図４に示すように、相手の雌コネクタ１０を嵌合可能なフード部１６と、雄端子金具１２が収容される端子収容部１７とを前後に繋げた構成とされる。フード部１６は、端子収容部１７の前端部から段付き状に拡径しつつ前方へ突出し、前方に開口する略角筒状に形成されており、その内部空間が雌コネクタ１０の嵌合空間となっている。フード部１６の上部１６ａには、雌コネクタ１０側のロックアーム３５が係止可能なロック部１８が設けられている。フード部１６のうち上部１６ａは、下部１６ｂ及び両側部１６ｃよりも少し後方に引っ込んで形成されえている。
【００２４】
端子収容部１７は、横長で（高さ寸法よりも幅寸法が長い）扁平な略ブロック状に形成されており、フード部１６内に臨む前端面が雌コネクタ１０との嵌合面になっている。端子収容部１７には、後方から雄端子金具１２を挿入可能なキャビティ１９が一対幅方向に並んで設けられている。キャビティ１９は、端子収容部１７を前後方向に沿って貫通しており、前半部分が雄端子金具１２の本体部１３に、後半部分が電線接続部１５及び電線Ｗにそれぞれ適合した形状及び大きさとされている。また、キャビティ１９の前端部は、先窄み状に形成されることで、雄端子金具１２を前止まりする前止まり壁とされている。
【００２５】
各キャビティ１９の底面における前端部には、挿入された雄端子金具１２を抜け止めするためのランス２０が設けられている。ランス２０は、片持ち状をなすとともに上下に弾性変形（撓み変形）可能とされ、雄端子金具１２の係止孔１３ａの孔縁に係止可能とされる。また、キャビティ１９の底面におけるランス２０を挟んだ両側端位置には、雄端子金具１２のスタビライザ１３ｂを挿通可能なスタビライザ挿通溝２１が設けられている。これにより、雄端子金具１２の挿入動作が円滑なものとなるとともに、雄端子金具１２が周方向について正規とは異なる姿勢で挿入されるのを規制できるようになっている。雄端子金具１２がキャビティ１９内に収容された状態では、タブ１４が端子収容部１７の前端面（嵌合面）から前方へ突き出すとともにフード部１６によって取り囲まれて嵌合空間に配される。
【００２６】
続いて、雌コネクタ３０について説明する。雌コネクタ３０は、図２及び図３に示すように、雌コネクタハウジング３１（以下、単に雌ハウジング３１という）と、電線Ｗの端末に接続された雌端子金具３２とを備える。雌ハウジング３１内に雌端子金具３２を収容した状態では、雌ハウジング３１の後面から後方へ電線Ｗが引き出される（図４）。
【００２７】
雌端子金具３２は、図３に示すように、略箱型をなす本体部３３と、本体部３３から後方へ延出する電線接続部３４とからなる。本体部３３内には、雄端子金具１２のタブ１４に対して弾性接触可能な弾性接触片（図示せず）が設けられている。本体部３３の下壁には、雌ハウジング３１のランス４０が係止可能な係止孔３３ａが設けられている。係止孔３３ａの両側縁からは、一対のスタビライザ３３ｂが下方へ突出して設けられている。電線接続部３４は、前後に一対ずつのかしめ片３４ａ，３４ｂを備え、前側の両かしめ片３４ａが電線Ｗの端部にて露出した芯線に、後側の両かしめ片３４ｂが電線Ｗの被覆に対してそれぞれかしめ付けられている。
【００２８】
雌ハウジング３１は、合成樹脂製とされ、図２及び図３に示すように、全体が横長で（高さ寸法よりも幅寸法が長い）扁平な略ブロック状に形成されており、前端面が雄ハウジング１１との嵌合面になっている。雌ハウジング３１の上面には、雄ハウジング１１側のロック部１８に対して係止可能なロックアーム３５が設けられており、これにより両ハウジング１１，３１が嵌合状態から離脱不能に保持されるようになっている（図８）。ロックアーム３５は、雌ハウジング３１の上面の前端位置から立ち上がる片持ち状に形成されており、その基端部を支点として上下方向（嵌合・離脱方向と交差する方向）に沿って弾性変形可能とされる。ロックアーム３５の後端部には、両ハウジング１１，３１を離脱させる際にロックアーム３５を押圧して強制的に弾性変形させるための操作部３５ａが設けられている。ロックアーム３５における基端部と操作部３５ａとの間の位置には、ロック部１８に係止する係止突部３５ｂが設けられている。
【００２９】
また、雌ハウジング３１の上面の後端部には、ロックアーム３５の後端部（操作部３５ａを含む）を外側から取り囲むロック保護部３６が設けられている。ロック保護部３６は、ロックアーム３５の後端部を上方及び両側方から取り囲むよう門形をなしており、雌ハウジング３１の上面の両側端位置に連結されている。これにより、ロックアーム３５の自由端である後端部に対して電線Ｗや異物などが引っ掛かるのが防止される。また、雌ハウジング３１の下面の後端位置からは、嵌合・離脱操作を行う際に作業者が指を掛けることが可能な指掛け部３７が下方へ突出して設けられている。
【００３０】
雌ハウジング３１には、後方から雌端子金具３２を挿入可能なキャビティ３８が一対幅方向に並んで設けられている。キャビティ３８は、雌ハウジング３１を前後方向に沿って貫通しており、前半部分が雌端子金具３２の本体部３３に、後半部分が電線接続部３４及び電線Ｗにそれぞれ適合した形状及び大きさとされている。特に、キャビティ３８のうち電線Ｗが配される後端部の高さ寸法及び幅寸法は、電線Ｗの外径寸法よりも少し大きく設定されている。また、キャビティ３８の前端部には、雌端子金具３２を前止まりするための前止まり壁が確保されている。
【００３１】
各キャビティ３８の周壁３９は、収容される電線Ｗや雌端子金具３２の上下に配されるとともに幅方向（水平方向）に沿った壁面を有する一対の横壁３９ａと、電線Ｗや雌端子金具３２の両側（図２に示す左右）に配されるとともに高さ方向（上下方向）に沿った壁面を有する一対の縦壁３９ｂとから構成される。なお、縦壁３９ｂのうち両キャビティ３８の周壁３９に共通するものが両キャビティ３８間を仕切る仕切り壁３９ｃとなっている。各キャビティ３８の周壁３９は、収容される雌端子金具３２及び電線Ｗに対して径方向外側に対向して配され、その周りを取り囲んでいる。各キャビティ３８の周壁３９は、上記仕切り壁３９ｃを除いては雌ハウジング３１の外周壁を構成している。
【００３２】
各キャビティ３８の底面における前端部には、挿入された雌端子金具３２を抜け止めするためのランス４０が設けられている。ランス４０は、片持ち状をなすとともに上下に弾性変形（撓み変形）可能とされ、雌端子金具３２の係止孔３３ａの孔縁に係止可能とされる。また、キャビティ３８の底面におけるランス４０を挟んだ両側端位置には、雌端子金具３２のスタビライザ３３ｂを挿通可能なスタビライザ挿通溝４１が設けられている。これにより、雌端子金具３２の挿入動作が円滑なものとなるとともに、雌端子金具３２が周方向について正規とは異なる姿勢で挿入されるのを規制できるようになっている。
【００３３】
雌端子金具３２がキャビティ３８内に収容されて抜け止めされた状態では、図４及び図５に示すように、雌端子金具３２の後端位置が雌ハウジング３１の後端位置よりも前方に位置し、雌端子金具３２の後端から導出する電線Ｗの前端部がキャビティ３８の周壁３９の後端部によって取り囲まれる。つまり、キャビティ３８の周壁３９が電線Ｗと対向する壁となっている。
【００３４】
さて、両ハウジング１１，３１からは、それぞれ後面側から電線Ｗが引き出されているが、このうち雌ハウジング３１から引き出された電線Ｗは、その引き出し端部が比較的振動を受けやすい機器、または振動を頻発する機器などに接続されている。そして、両コネクタ１０，３０を嵌合接続した状態で、振動が電線Ｗを介して雌端子金具３２にまで伝達すると、接続不良が生じる可能性がある。そこで、本実施形態では、両ハウジング１１，３１を嵌合するのに伴って雌ハウジング３１側の電線Ｗを押さえ付ける構造を設けるようにしている。この電線押さえ構造は、大まかには、雄ハウジング１１側に設けられた押さえ部２２と、雌ハウジング３１側に設けられ、押さえ部２２によって押さえ付けられる押さえ片４２とからなる。
【００３５】
先に押さえ部２２について詳しく説明する。押さえ部２２は、図１，図４及び図５に示すように、フード部１６の前端からさらに前方へ部分的に延出する形態とされている。押さえ部２２は、フード部１６のうち上下方向に沿って延びる両側部１６ｃに一対設置されている。両押さえ部２２は、間に雌ハウジング３１の挿通を許容する間隔を空けた状態で互いに対向して配されている。両押さえ部２２は、フード部１６の両側部１６ｃをほぼ全高さにわたって前方へ延長させてなり、上下方向に沿った略板状をなしている。また、押さえ部２２の内外面は、フード部１６の側部１６ｃの内外面と面一をなしている。
【００３６】
両押さえ部２２における前端部の内面には、テーパ状をなすガイド面２２ａが形成されている。このガイド面２２ａは、前端側に行くに連れて押さえ部２２の厚みを減少させるような勾配（斜め内向きの勾配）の傾斜面とされている。従って、両押さえ部２２の内面間の間隔は、後端部から途中までは一定であるもののガイド面２２ａにおいては前端側に行くに連れて広がるようになっている。両ガイド面２２ａにより、嵌合時に雌ハウジング３１をフード部１６内に誘い込むことができるとともに、後述する押さえ片４２に対する押さえ付け動作を案内することができるようになっている。
【００３７】
さらに、フード部１６のうち、両側部１６ｃに隣接する部位である下部１６ｂの前端からは、さらに前方へ延出するとともに上記押さえ部２２に連結される補強部２３が設けられている。補強部２３は、フード部１６の下部１６ｂを部分的に延出させる形態とされる。具体的には、補強部２３は、下部１６ｂにおける両側端位置に一対設置されており、幅方向に沿った略板状をなしている。そして、両補強部２３における外側端（互いに対向する内側端とは反対側）が、隣接する押さえ部２２の下端に対してそれぞれ連結されている。従って、押さえ部２２及び補強部２３は、正面から見て全体としてＬ字型をなしている。また、補強部２３の前端部には、斜め内向きの勾配でテーパ状をなすガイド面２３ａが形成され、雌ハウジング３１をフード部１６内に誘い込むことが可能とされる。
【００３８】
次に押さえ片４２について詳しく説明する。押さえ片４２は、雌ハウジング３１のうち電線Ｗと対向する部分である各キャビティ３８の周壁３９の一部を利用して設置されている。具体的には、各キャビティ３８の周壁３９のうち、雄ハウジング３１側のフード部１６における側部１６ｃ及びガイド部２２に沿った壁である縦壁３９ｂの後端部には、スリット４３が一対ずつ所定の高さ寸法を空けた位置に形成され、それにより押さえ片４２が形成されている。この押さえ片４２が設けられた縦壁３９ｂは、キャビティ３８（電線Ｗ）の並び方向（幅方向）と直交する方向（高さ方向）に沿った壁でもある。
【００３９】
押さえ片４２の上下両側に形成される両スリット４３は、共に縦壁３９ｂを厚み方向に貫通し、前後方向に沿って真っ直ぐに延びつつ後方へ開放する形態とされ、これにより押さえ片４２は片持ち状に形成されている。押さえ片４２は、縦壁３９ｂに連結された前端部から後方へ延出して後端側が自由端とされた片持ち状をなし、前端部を支点（基端）として幅方向（電線Ｗの軸方向と直交（交差）する方向、電線Ｗに対して接離する方向）に沿って弾性変形可能とされている。この押さえ片４２は、電線Ｗが収容された状態で内側に弾性変形させられることで、電線Ｗを圧接できるようになっている。
【００４０】
押さえ片４２は、各キャビティ３８の周壁３９における外側の両縦壁３９ｂにそれぞれ設置されており、両押さえ片４２は、中央の仕切り壁３９ｃと対向状に配されている。この仕切り壁３９ｃは、押さえ片４２が内側、つまり電線Ｗに対して接近する方向へ変位され、電線Ｗに対して圧接されたときに電線Ｗを反対側から受ける受け部として機能する（図８）。
【００４１】
押さえ片４２は、その後端位置が雌ハウジング３１の後端位置とほぼ面一状をなしている。従って、押さえ片４２の上下両側に配される両スリット４３間に後方へ開放するような開口が形成されることがない。押さえ片４２の前端位置は、キャビティ３８内に収容された雌端子金具３２の後端位置よりも前寄りに設定されている。また、押さえ片４２の前端位置は、嵌合時に押さえ部２２内に入り込むことができるような位置に設定されている。
【００４２】
押さえ片４２は、自然状態においてその外面４２ａが縦壁３９ｂの外面、つまり雌ハウジング３１における両側の外面３１ａと面一状をなしている。この雌ハウジング３１の外面３１ａ及び押さえ片４２の外面４２ａには、嵌合時に雄ハウジング１１側のフード部１６の側部１６ｃ及び押さえ部２２の内面が摺接されるようになっている。そして、この押さえ片４２の外面４２ａには、雌ハウジング３１の外面３１ａよりも外側へ突出する突出部４４が設けられている。従って、嵌合時には、押さえ部２２によって突出部４４が内側に押圧されるようになっており、それによって押さえ片４２が内側、つまり電線Ｗに接近する向きに変位されるようになっている。
【００４３】
突出部４４は、押さえ片４２の外面４２ａから部分的（局所的）に突出しており、詳しくは押さえ片４２における前端位置（押さえ片４２の撓み基端位置）で且つ幅方向中央位置に配されている。突出部４４は、断面三角形状とされ、押さえ片４２の外面４２ａからの突出寸法が後端側に行くに連れて次第に大きくなる形態とされることで、その外面にテーパ状のガイド面４４ａが形成されている。ガイド面４４ａは、押さえ部２２側のガイド面２２ａに沿うよう、斜め外向きの勾配の傾斜面とされており、その傾斜角度は押さえ部２２側のガイド面２２ａよりも急になっている。嵌合時には、両ガイド面２２ａ，４４ａによって押さえ部２２による突出部４４（押さえ片４２）に対する押圧動作が案内されるようになている。
【００４４】
上記押さえ片４２は、外面４２ａが縦壁３９ｂの外面と面一とされるものの、内面については縦壁３９ｂの内面よりも内側に引っ込んでいる。つまり、押さえ片４２は、その厚み寸法が縦壁３９ｂよりも薄くなっている。そして、この押さえ片４２の内面４２ｂには、内側に突出する圧接突部４５が設けられている。圧接突部４５は、押さえ片４２が内側に弾性変形されたときに電線Ｗに対して圧接可能とされる。
【００４５】
圧接突部４５は、押さえ片４２の内面４２ｂから部分的（局所的）に突出しており、詳しくは押さえ片４２における後端位置、つまり押さえ片４２の自由端位置で且つ幅方向中央位置、つまり突出部４４と同じ位置に配されている。圧接突部４５の突出寸法は、その突出端（内端）が縦壁３９ｂの内面とほぼ同じ位置に至る大きさとされる。圧接突部４５は、断面三角形状とされ、押さえ片４２の内面４２ｂからの突出寸法が後端側に行くに連れて次第に大きくなる形態とされる。従って、圧接突部４５は、電線Ｗに圧接される突出端が尖った形状とされる。また、縦壁３９ｂには、雌ハウジング３１を樹脂成形する際に、圧接突部４５を型抜きするための型抜き孔が前方へ開放する形態で形成されている。
【００４６】
突出部４４及び圧接突部４５の突出寸法（突出量）は、嵌合に伴って押さえ部２２によって突出部４４が押圧されて押さえ片４２が内側に変位されたとき、圧接突部４５が電線Ｗの外周面に対して確実に圧接されるような大きさに設定されている。また、突出部４４及び圧接突部４５の幅寸法は、ほぼ同じとされるとともに、押さえ片４２の幅寸法よりは小さく設定されている。
【００４７】
本実施形態は以上のような構造であり、続いてその作用を説明する。雄端子金具１２を電線Ｗの端末に接続したら、その雄端子金具１２を雄ハウジング１１の各キャビティ１９内に個別に挿入する。同様にして雌端子金具３２を電線Ｗの端末に接続したら、その雌端子金具３２を雌ハウジング３１の各キャビティ３８内に個別に挿入する。以下、雄雌の端子金具１２，３２の挿入作業をまとめて説明する。
【００４８】
各キャビティ１９，３８内に後方から各端子金具１２，３２が挿入される途中では、スタビライザ１３ｂ，３３ｂがスタビライザ挿通溝２１，４１内に挿通されるとともに本体部１３，３３によってランス２０，４０が一旦弾性変形される。そして、各端子金具１２，３２が正規深さに達すると、図４及び図５に示すように、ランス２０，４０が復元して係止孔１３ａ，３３ａ内に進入しつつその孔縁に対して係止することで、各端子金具１２，３２が抜け止め状態に保持される。この状態では、各端子金具１２，３２に接続された電線Ｗが各ハウジング１１，３１の後面から後方へ引き出される。このとき、雌ハウジング３１側に関しては、電線Ｗの径方向外側に押さえ片４２が対向して配され、押さえ片４２の反対側には仕切り壁３９ｃが対向して配される。また、雄ハウジング１１側に関しては、タブ１４が端子収容部１７の前端面からフード部１６内の嵌合空間に突き出して配される。
【００４９】
上記のようにして各端子金具１２，３２を各ハウジング１１，３１内に収容したら、続いて両ハウジング１１，３１を嵌合する作業を行う。図５に示す状態から、雄ハウジング１１のフード部１６内に雌ハウジング３１を嵌合させる。ここで、雌ハウジング３１が雄ハウジング１１に対して嵌合面を相対的に傾けた姿勢で嵌合されようとした場合には、図６に示すように、フード部１６から前方へ突出した両押さえ部２２によって雌ハウジング３１が傾いた姿勢のままフード部１６内に進入するのが規制される。このとき、雌ハウジング３１がフード部１６内に最も奥深く入っても、雌ハウジング３１がタブ１４とは非干渉となる設定とされる。従って、雌ハウジング３１によってタブ１４が変形させられるなどの事態を防ぐことができる。
【００５０】
雌ハウジング３１が正規の姿勢で雄ハウジング１１に嵌合されると、雌ハウジング３１は、両押さえ部２２のガイド面２２ａにガイドされつつフード部１６の嵌合空間内に進入する。所定深さまで雌ハウジング３１が進入すると、ロック部１８によって係止突部３５ｂが押圧されることでロックアーム３５が下方へ一旦弾性変形させられる。
【００５１】
嵌合が進行するのに伴い、両押さえ部２２は、雌ハウジング３１の両側の外面３１ａに沿って進出する。そして、所定深さに達したところで、図７に示すように、押さえ部２２のガイド面２２ａが、突出部４４のガイド面４４ａに対して当接される。この状態からさらに嵌合を進行させると、押さえ部２２が突出部４４を押圧するとともに、その押圧力が両ガイド面２２ａ，４４ａの傾斜によって斜め内向き、つまり押さえ片４２を内側へ変位させるような分力として作用する。これにより、押さえ片４２は、図８及び図９に示すように、電線Ｗに接近する向きに弾性変形させられるとともに、その自由端に設置された圧接突部４５も同方向に変位されて電線Ｗに対して圧接される。押さえ片４２、突出部４４及び圧接突部４５の変位量、つまり電線Ｗに付与される圧接力は、両ガイド面２２ａ，４４ａが傾斜していることにより、両ハウジング１１，３１の嵌合が進行するに連れて増加していく。
【００５２】
そして、両ハウジング１１，３１が正規深さまで嵌合されると、図１０に示すように、係止突部３５ｂがロック部１８を潜り抜けてロックアーム３５が復元し、係止突部３５がロック部１８に対して係止することで、両ハウジング１１，３１が正規嵌合状態から離脱不能に保持される。このとき、雄端子金具１２のタブ１４が雌端子金具３２の本体部３３内に挿入されるとともに弾性接触片に弾接されることで、両端子金具１２，３２が導通接続される。
【００５３】
この正規嵌合状態では、電線Ｗは、図８及び図９に押さえ片４２の圧接突部４５によって外側から圧接されるとともに、内側の仕切り壁３９ｃによって受けられる。つまり、電線Ｗは、圧接突部４５と仕切り壁３９ｃとの間に挟圧状態で保持される。また、このとき押さえ片４２は、その後端が押さえ部２２の前端よりも外側に配され、また突出部４４も後端が押さえ部２２の前端より外側に配される。つまり、突出部４４は、突出端（頂点）が押さえ部２２によって押さえ付けられていない状態とされる。
【００５４】
上記のような接続状態では、雌ハウジング３１から引き出された電線Ｗには、引き出し端部が比較的振動を受けやすい機器、または振動を頻発する機器などに接続されているため、振動が電線Ｗを介して雌端子金具３２にまで伝達して接続不良を引き起こす事態が懸念される。ところが、本実施形態では、電線Ｗのうちキャビティ３８の周壁３９に取り囲まれた部分（電線Ｗのうち雌端子金具３２の直後に配される前端部）は、内側で仕切り壁３９ｃによって受けられた状態で外側から押さえ片４２が圧接され、押さえ片４２によって電線Ｗが押さえ付けられているので、振動が内部の雌端子金具３２にまで伝達される事態が防がれるようになっている。これにより、接続不良を回避することができる。
【００５５】
特に、本実施形態においては、押さえ片４２に雌ハウジング３１の外面３１ａから突出する突出部４４が設けられ、この突出部４４が、嵌合に伴って雌ハウジング３１の外面３１ａに沿って進出する雄ハウジング１１の押さえ部２２によって内側に押圧されるようになっている。従って、押さえ片４２は、雌ハウジング３１の外面３１ａからの突出部４４の突出量の分だけ内側に変位して電線Ｗに対して圧接される。つまり、突出部４４の突出量によって押さえ片４２の変位量及び電線Ｗへの押さえ力が確定している。これにより、一定の押さえ力を電線Ｗに付与することができ、安定的な電線押さえ機能を発揮することができる。なお、大電流用の電線Ｗ及び小型の雌端子金具１２を用いる場合は、電線Ｗの重量が大きいのに対し、雌端子金具１２の重量が小さいため、電線Ｗの慣性によって雌端子金具１２が振られ易くなるから、安定的な電線押さえ機能を発揮できる本実施形態は極めて好適となる。
【００５６】
なお、雌ハウジング３１の外面３１ａからの突出部４４の突出量を適宜変更することで、押さえ片４２の変位量及び電線Ｗに付与する押さえ力を調整することができ、また、使用する電線Ｗの外径寸法が変更された場合でも一定の押さえ力を付与することも可能となる。
【００５７】
また、雄ハウジング１１には、雌ハウジング３１を嵌合可能なフード部１６が設けられており、このフード部１６に押さえ部２２が設けられているから、仮に雄ハウジング側に押さえ片が設けられ、雌ハウジング側に押さえ部が設けられた場合には、押さえ部の形状としてフード部を回避しつつ押さえ片を押さえ付けるよう設定しなければならず、その形状が複雑化し勝ちとなるが、雄ハウジング１１にフード部１６を設けてそのフード部１６に押さえ部２２を設けるようにしたから、押さえ部２２の形状を簡素化することができる。
【００５８】
また、押さえ部２２がフード部１６から前方へ部分的に延出する形態とされているから、仮にフード部の全体を延長して押さえ部を形成した場合と比べると、雄ハウジング１１を製造する際の材料費を低減できる。
【００５９】
また、フード部１６には、前方へ部分的に延出するとともに押さえ部２２に連結される補強部２３が設けられているから、押さえ部２２の補強を図ることができる。押さえ部２２によって押さえ片４２を押さえ付けた状態では、押さえ部２２には電線Ｗ及び押さえ片４２から外向きの力が作用することになるが、補強部２３によって押さえ部２２が外側に開き変形し難くなっているので、電線Ｗに付与する押さえ力をより安定化することができる。
【００６０】
また、雄ハウジング１１にはタブ１４を有する雄端子金具１２が取り付けられるとともに、タブ１４がフード部１６内に突出して配されており、押さえ部２２が互いに対向する位置に一対設けられているから、両ハウジング１１，３１を嵌合させようとしたとき、雌ハウジング３１が相対的に傾いた姿勢だったときでも、互いに対向する両押さえ部２２によって雌ハウジング３１が傾いた姿勢のまま進入するのを規制することができる。これにより、タブ１４への干渉を防止することができる。
【００６１】
また、押さえ片４２は、雌ハウジング３１のうち電線Ｗと対向するキャビティ３８の周壁３９にスリット４３を入れることで形成されており、雌ハウジング３１の既存構造であるキャビティ３８の周壁３９の一部を利用して押さえ片４２を形成しているから、仮に雌ハウジングから押さえ片を延長して形成した場合と比較すると小型で済む。
【００６２】
また、スリット４３が後方（電線Ｗの引き出し方向）に向けて開放する形態とされ、押さえ片４２が片持ち状に形成されているから、雌ハウジング３１を成形金型を用いて製造するにあたり、スリット４３及び押さえ片４２を後方に開く型によって成形することができ、同方向と直交する方向に開くスライド型が不要になる。もって雌ハウジング３１を低コストで製造することができる。
【００６３】
また、押さえ片４２は、その後端位置が雌ハウジング３１の後端位置とほぼ面一となるよう形成されているから、雌ハウジング３１における電線Ｗと対向するキャビティ３８の周壁３９には、スリット４３間に開口が形成されることがない。仮に押さえ片の後端位置を雌ハウジングの後端位置よりも前寄りに設定すると、雌ハウジングにおける電線と対向するキャビティの周壁に両スリットに繋がる開口が後方へ開放して形成されるが、そのような開口が形成されることがないので、異物などの侵入を防ぐことができる。
【００６４】
また、押さえ片４２は、その前端位置が雌端子金具３２の後端位置よりも前寄りになるよう形成されているから、仮に押さえ片の前端位置を雌端子金具の後端位置よりも後ろ寄りとした場合と比べると、雌ハウジング３１を短小化することができるとともに、電線Ｗのうち雌端子金具３２により近い部分（直後部分）を押さえ片４２によって押さえることができるので、雌端子金具３２への振動の伝達を有効に防ぐことができる。
【００６５】
また、突出部４４は、押さえ片４２における前端位置に配置されているから、突出部４４を押圧する押さえ部２２の長さ寸法を極力短くすることができる。
【００６６】
また、突出部４４は、押さえ片４２における幅方向中央位置に配置されているから、押さえ片４２を電線Ｗに対して適切に圧接させることができる。
【００６７】
また、突出部４４と押さえ部２２との双方には、押さえ部２２が突出部４４に当接したときに押さえ片４２を内側へ変位させるような分力を生じさせるガイド面２２ａ，４４ａが形成されているから、押さえ部２２によって突出部４４及び押さえ片４２を押さえ付ける動作をスムーズなものとすることができる。
【００６８】
＜実施形態２＞
本発明の実施形態２を図１１ないし図１３によって説明する。この実施形態２では、押さえ片及び押さえ部の配置などを変更したものを示す。なお、この実施形態２では、上記した実施形態１と同じ名称の部位には、同一の符号を用いるとともにその末尾に添え字Ａを付すものとし、構造、作用及び効果について重複する説明は省略する。
【００６９】
雌ハウジング３１Ａには、図１１及び図１２に示すように、キャビティ３８Ａが３室幅方向に並んで設けられている。押さえ片４２Ａは、雌ハウジング３１Ａにおける各キャビティ３８Ａの周壁３９Ａのうち、下側（ロックアーム３５Ａ側とは反対側）の横壁３９ａＡに一対ずつスリット４３Ａを入れることで形成されている。この横壁３９ａＡは、周壁３９Ａのうちで、キャビティ３８Ａ（電線Ｗ）の並び方向である幅方向に沿った壁とされる。押さえ片４２Ａは、横壁３９ａＡに連結された前端部から後方へ延出して後端側が自由端とされた片持ち状をなし、前端部を支点（基端）として上下方向（電線Ｗの軸方向と直交（交差）する方向、電線Ｗに対して接離する方向）に沿って弾性変形可能とされている。この押さえ片４２Ａは、上側の横壁３９ａＡと対向状に配されている。従って、上側の横壁３９ａＡは、押さえ片４２Ａが内側、つまり電線Ｗに対して接近する方向へ変位され、電線Ｗに対して圧接されたときに電線Ｗを反対側から受ける受け部として機能する。
【００７０】
押さえ片４２Ａの外面における前端位置には、突出部４４Ａが、雌ハウジング３１Ａにおける下側の外面３１ａＡよりも外側に突出して設けられ、押さえ片４２Ａの内面における後端位置には、圧接突部４５Ａが内側に突出して設けられている。なお、これら押さえ片４２Ａ、突出部４４Ａ及び圧接突部４５Ａの機能などは上記した実施形態１と同様であるため、重複する説明は省略する。
【００７１】
一方、押さえ部２２Ａは、図１２に示すように、フード部１６Ａのうち、嵌合時に雌ハウジング３１Ａの下側の外面３１ａＡに摺接される下部１６ｂＡに設けられている。押さえ部２２Ａは、フード部１６Ａの下部１６ｂＡをほぼ全幅にわたって前方へ延出させる形態とされており、幅方向に沿った略板状をなしている。さらには、フード部１６のうち下部１６ｂＡに隣接する両側部１６ｃＡの前端からは、一対の補強部２３Ａが前方へ延出して設けられており、これら両補強部２３Ａにおける下端が押さえ部２２Ａの両側端に対して連結されることで、補強が図られている。なお、これら押さえ部２２Ａ及び補強部２３Ａの機能などは上記した実施形態１と同様であるため、重複する説明は省略する。
【００７２】
両ハウジング１１Ａ，３１Ａを嵌合すると、押さえ部２２Ａが雌ハウジング３１Ａの下側の外面３１ａＡに沿って進出し、所定深さに達すると、押さえ部２２Ａが突出部４４Ａに当接される。その状態からさらに嵌合を進行させると、図１３に示すように、押さえ部２２Ａによって突出部４４Ａが押圧されるとともに押さえ片４２Ａが内側に弾性変形し、圧接突部４５Ａが電線Ｗに対して圧接される。このとき、電線Ｗは、上側の横壁３９ａＡと押さえ片４２Ａとの間で挟圧状態に保持される。
【００７３】
以上説明したように本実施形態によれば、押さえ片４２Ａが雌ハウジング３１Ａにおける電線Ｗと対向するキャビティ３８Ａの周壁３９Ａのうち幅方向（電線Ｗの並び方向）に沿った横壁３９ａＡに形成されているから、電線Ｗが一方向に３本以上並んで配されるタイプの雌ハウジング３１Ａにも容易に対応することができる。
【００７４】
＜他の実施形態＞
本発明は上記記述及び図面によって説明した実施形態に限定されるものではなく、例えば次のような実施形態も本発明の技術的範囲に含まれる。
【００７５】
（１）上記した実施形態では、１本の電線を１本の押さえ片で押さえ付ける場合を示したが、例えば実施形態２において、最も外側のキャビティの周壁における縦壁に押さえ片を設けるとともに、この押さえ片を補強部によって押圧するようにして、１本の電線を２本の押さえ片で押さえ付けるようにしてもよい。
【００７６】
（２）上記した実施形態では、押さえ部及び突出部の双方にガイド面を設けた場合を示したが、どちらか片方にのみガイド面を設けるようにしたものも本発明に含まれる。
【００７７】
（３）上記した実施形態では、突出部が押さえ片の前端位置で且つ幅方向中央位置に配された場合を示したが、押さえ片における突出部の配設位置は適宜に変更可能である。同様に圧接突部の配設位置も適宜に変更することができる。また、押さえ片における突出部及び圧接突部の形成範囲も適宜に変更可能である。また、突出部及び圧接突部の形状や数についても適宜に変更可能である。
【００７８】
（４）上記した実施形態では、押さえ片がキャビティの周壁よりも薄肉に形成されるとともに、内面から突出する圧接突部を有するものを示したが、例えば押さえ片がキャビティの周壁と同等の厚さを有するものでは圧接突部を省略することができる。なお、押さえ片の厚さ寸法とは無関係に圧接突部を省略することも可能である。
【００７９】
（５）上記した実施形態では、嵌合状態で押さえ片の後端部が押さえ部よりも外側に突出する場合を示したが、押さえ片が全長にわたって押さえ部内に収められるものも本発明に含まれる。
【００８０】
（６）上記した実施形態では、押さえ部がフード部から部分的に延出する場合を示したが、フード部全体を延長してその延長部分を押さえ部として利用したものも本発明に含まれる。
【００８１】
（７）上記した実施形態では、雌ハウジングが雄ハウジングのフード部内に嵌合されるものを示したが、例えば防水コネクタのように、雌ハウジングが雄ハウジングのフード部を内嵌可能な外筒部を有する場合には、雄ハウジング側に押さえ片を設け、雌ハウジング側に押さえ部を設けるようにして、雄ハウジング側の電線を押さえ付けるようにしてもよい。
【００８２】
（８）上記した実施形態では、雌ハウジング側に押さえ片を、雄ハウジング側に押さえ部を設けた場合を示したが、フード部を有さない雌ハウジング側に押さえ部を、雄ハウジング側に押さえ片を設けるようにして、雄ハウジング側の電線を押さえ付けるようにしてもよい。
【００８３】
（９）上記した実施形態では、ロックアームが雌ハウジングの上面に設けられた場合を示したが、雌ハウジングの下面または両側面のいずれかに設けられたものも本発明に含まれる。その場合でも、押さえ片は、ロックアームを避けた位置に設置すればよい。
【００８４】
（１０）上記した実施形態では、押さえ片が後端側を自由端とした片持ち状の場合を示したが、前端側を自由端とした片持ち状の押さえ片を用いたものも本発明に含まれる。さらには、片持ち状の押さえ片に限らず、両持ち状の押さえ片を用いたものも本発明に含まれる。
【００８５】
（１１）上記した実施形態では、押さえ片をアーム状として弾性変形可能とした場合を示したが、必ずしも弾性変形可能とする必要はなく、例えば押さえ片がハウジングに対してヒンジを介して連結され、ヒンジを屈曲させることで、押さえ片を変位させるようにしたものも本発明に含まれる。
【００８６】
（１２）上記した実施形態では、押さえ片がキャビティの周壁にスリットを入れることで形成される場合を示したが、必ずしもハウジングの既存構造を利用して押さえ片を設ける必要はなく、例えばハウジングから部分的に突出する形態で押さえ片を設けるようにしたものも本発明に含まれる。
【００８７】
（１３）上記した実施形態では、押さえ片の外面から部分的に突出部が突出して設けられる場合を示したが、例えば、押さえ片の外面が雌ハウジングの外面と平行なまま段違い状に外側に突出する形態とされ、押さえ片のうち雌ハウジングの外面から突出する部分を突出部としたものも本発明に含まれる。
【００８８】
（１４）上記した実施形態では、突出部が押さえ片（ハウジング）に一体形成された場合を示したが、突出部が押さえ片とは別部品とされ、組み付けにより一体化されるものも本発明に含まれる。また、押さえ片についても同様にハウジングとは別部品とすることができる。
【００８９】
（１５）上記した実施形態以外にも、キャビティ及び電線の数や配置は適宜に変更可能である。
【００９０】
（１６）上記した実施形態では、電線に対して圧着接続される端子金具を用いた場合を示したが、電線に対して圧接接続される圧接接続タイプの端子金具を用いたものにも本発明は適用可能である。また、雄ハウジングに関して、雄端子金具がインサートされたものも本発明に含まれる。
【図面の簡単な説明】
【００９１】
【図１】本発明の実施形態１に係る雄ハウジングの正面図
【図２】雌ハウジングの背面図
【図３】雌ハウジングに雌端子金具を挿入する前の状態を示す縦断面図
【図４】両ハウジングを嵌合する前の状態を示す縦断面図
【図５】両ハウジングを嵌合する前の状態を示す横断面図
【図６】雌ハウジングを傾いた姿勢で嵌合しようとした状態を示す横断面図
【図７】嵌合途中で押さえ部が突出部に当接した状態を示す横断面図
【図８】押さえ部によって押さえ片が内側に弾性変形された状態を示す横断面図
【図９】押さえ部によって押さえ片が内側に弾性変形された状態を示す一部切欠背面図
【図１０】両ハウジングを正規嵌合した状態を示す縦断面図
【図１１】本発明の実施形態２に係る雌ハウジングの背面図
【図１２】両ハウジングを嵌合する前の状態を示す縦断面図
【図１３】両ハウジングを正規嵌合した状態を示す縦断面図
【図１４】従来例の断面図
【符号の説明】
【００９２】
１１…雄ハウジング（他方のコネクタハウジング）
１２…雄端子金具（雄型の端子金具）
１４…タブ
１６…フード部
２２…押さえ部
２２ａ…ガイド面
２３…補強部
３１…雌ハウジング（一方のコネクタハウジング）
３１ａ…外面
３２…雌端子金具（端子金具）
３９…周壁（電線と対向する壁）
４２…押さえ片
４３…スリット
４４…突出部
４４ａ…ガイド面
Ｗ…電線
【図１】
2009080942.tif 000003
【図２】
2009080942.tif 000004
【図３】
2009080942.tif 000005
【図４】
2009080942.tif 000006
【図５】
2009080942.tif 000007
【図６】
2009080942.tif 000008
【図７】
2009080942.tif 000009
【図８】
2009080942.tif 000010
【図９】
2009080942.tif 000011
【図１０】
2009080942.tif 000012
【図１１】
2009080942.tif 000013
【図１２】
2009080942.tif 000014
【図１３】
2009080942.tif 000015
【図１４】
2009080942.tif 000016